(57)【要約】【課題】簡単な構造で乳幼児を遊ばせることができるベビー用品を提供する。【解決手段】ベビー用品１は、玩具３〜６が取り付けられる弾性変形可能なフレーム部材２を備える。フレーム部材２は、環状に構成されており、フレーム部材２の周方向の長さは、１５７ｃｍ以上３１４ｃｍ以下である。【選択図】図１
0003225185.tif 000002
【実用新案登録請求の範囲】
【請求項１】
玩具が取り付けられる弾性変形可能なフレーム部材を備え、
前記フレーム部材は、環状に構成されており、
前記フレーム部材の周方向の長さは、１５７ｃｍ以上３１４ｃｍ以下である、ベビー用品。
【請求項２】
前記フレーム部材は、一対の端部を含むフレーム本体と、前記一対の端部同士を接続する接続部と、を有する、請求項１に記載のベビー用品。
【請求項３】
前記接続部は、互いにオーバーラップした状態の前記一対の端部同士を結束し、
前記フレーム部材の周方向の長さは、前記一対の端部が互いにオーバーラップする長さによって調節される、請求項２に記載のベビー用品。
【請求項４】
前記フレーム本体は、芯材と、前記芯材の外周面を取り囲むクッション層と、前記芯材の端面を覆うキャップ部材と、を有する、請求項２又は３に記載のベビー用品。
【請求項５】
前記フレーム部材は、芯材と、前記芯材の外周面を取り囲むクッション層と、を有する、請求項１に記載のベビー用品。
【請求項６】
前記クッション層は、発泡性樹脂からなる、請求項４又は５に記載のベビー用品。
【請求項７】
前記フレーム部材は、前記クッション層の外周面を取り囲むカバー部材を更に有する、請求項４〜６のいずれか一項に記載のベビー用品。
【請求項８】
前記フレーム部材に取り付けられる玩具を更に備える、請求項１〜７のいずれか一項に記載のベビー用品。
【考案の詳細な説明】
【技術分野】
【０００１】
本考案は、ベビー用品に関する。
【背景技術】
【０００２】
例えば、特許文献１には、シート状部材と、ドーム形状を構成する複数のフレーム部材と、を有する赤ちゃん用の遊戯具が記載されている。この遊戯具では、ドーム形状がフレーム部材により構成されるため、開放された遊戯空間で赤ちゃんを遊ばせることができる。
【先行技術文献】
【特許文献】
【０００３】
【特許文献１】特開２００３−２２５４７５号公報
【考案の概要】
【考案が解決しようとする課題】
【０００４】
しかしながら、上述のようなベビー用品は、複数のフレーム部材によりドーム形状を構成するため、構造が複雑である。そこで、簡単な構造で乳幼児を遊ばせることができるベビー用品が求められている。
【０００５】
本考案は、簡単な構造で乳幼児を遊ばせることができるベビー用品を提供する。
【課題を解決するための手段】
【０００６】
本考案に係るベビー用品は、玩具が取り付けられる弾性変形可能なフレーム部材を備え、フレーム部材は、環状に構成されており、フレーム部材の周方向の長さは、１５７ｃｍ以上３１４ｃｍ以下である。
【０００７】
このベビー用品では、フレーム部材が環状に構成されているので、構造が簡単である。フレーム部材の周方向の長さは、１５７ｃｍ以上３１４ｃｍ以下であるから、フレーム部材により、直径５０ｃｍ以上１００ｃｍ以下の円環状を構成できる。よって、フレーム部材の内部において、乳幼児を寝かせた状態で遊ばせることができる。また、フレーム部材には玩具が取り付けられるので、乳幼児を玩具で遊ばせることができる。更に、フレーム部材は弾性変形可能であるから、乳幼児がフレーム部材を変形させても、フレーム部材は容易に元の形状に戻る。
【０００８】
フレーム部材は、一対の端部を有するフレーム本体と、一対の端部同士を接続する接続部と、を有してもよい。この場合、接続部による接続を解除すれば、フレーム部材をコンパクトに収納し易い。
【０００９】
接続部は、互いにオーバーラップした状態の一対の端部同士を結束し、フレーム部材の周方向の長さは、一対の端部が互いにオーバーラップする長さによって調節されてもよい。この場合、フレーム部材により構成される円環の大きさを調節することができる。
【００１０】
フレーム本体は、芯材と、芯材の外周面を取り囲むクッション層と、芯材の端面を覆うキャップ部材と、を有してもよい。この場合、フレーム本体が芯材を有するので、フレーム部材を所定形状に維持し易い。また、フレーム本体がクッション層を有するので、乳幼児がフレーム本体に触れたときの当たりを柔らかくできる。更に、芯材の端面はキャップ部材により覆われるので、乳幼児がフレーム本体の端部に触れたときの当たりを柔らかくできる。
【００１１】
フレーム部材は、芯材と、芯材の外周面を取り囲むクッション層と、を有してもよい。この場合、フレーム本体が芯材を有するので、フレーム部材を所定形状に維持し易い。また、フレーム本体がクッション層を有するので、乳幼児がフレーム本体に触れたときの当たりを柔らかくできる。
【００１２】
クッション層は、発泡性樹脂からなってもよい。この場合、クッション層を所望の形状に形成し易い。
【００１３】
フレーム部材は、クッション層の外周面を取り囲むカバー部材を更に有してもよい。この場合、クッション層を保護することができる。
【００１４】
上述のベビー用品は、フレーム部材に取り付けられる玩具を更に備えてもよい。この場合、乳幼児を玩具で遊ばせることができる。
【考案の効果】
【００１５】
本考案によれば、簡単な構造で乳幼児を遊ばせることができる。
【図面の簡単な説明】
【００１６】
【図１】実施形態に係るベビー用品の使用状態を示す図である。
【図２】フレーム部材及び玩具を示す上面図である。
【図３】接続部による接続を解除した状態のフレーム部材の上面図及び断面図である。
【考案を実施するための形態】
【００１７】
以下、図面を参照して、実施形態について詳細に説明する。なお、図面中の同一又は相当部分には同一符号を付すこととする。
【００１８】
図１は、実施形態に係るベビー用品の使用状態を示す図である。図１に示されるように、実施形態に係るベビー用品１は、特に、乳幼児Ｃ（例えば、生後０カ月から１２カ月）向けの育児用品である。ベビー用品１は、弾性変形可能なフレーム部材２と、フレーム部材２に取り付けられる複数の玩具３〜６と、を備える。ベビー用品１は、例えば、床の上で用いられる。
【００１９】
フレーム部材２は、環状（例えば、円環状）に構成されている。フレーム部材２の周方向の長さは、フレーム部材２が直径５０ｃｍ以上１００ｃｍ以下の円環状を構成できる長さに設定されている。すなわち、フレーム部材２の周方向の長さは、１５７ｃｍ以上３１４ｃｍ以下に設定されている。一般的に、乳幼児Ｃの身長は、５０ｃｍ以上６５ｃｍ以下である。したがって、フレーム部材２が直径５０ｃｍ以上１００ｃｍ以下の円環状を構成していれば、フレーム部材２の内部において、乳幼児Ｃを寝かせた状態で遊ばせることができる。
【００２０】
フレーム部材２の周方向の長さは、１８８ｃｍ以上であることがより好ましい。このとき、直径６０ｃｍ以上の円環状が構成される。フレーム部材２の周方向の長さは、２２０ｃｍ以上であることが更に好ましい。このとき、直径７０ｃｍ以上の円環状が構成される。フレーム部材２の周方向の長さは、２８３ｃｍ以下であることがより好ましい。このとき、直径９０ｃｍ以下の円環状が構成される。フレーム部材２の周方向の長さは、２５１ｃｍ以下であることが更に好ましい。このとき、直径８０ｃｍ以下の円環状が構成される。
【００２１】
複数の玩具３〜６は、乳幼児Ｃが容易に触れて遊ぶことができるように、例えば、円環状に構成されたフレーム部材２の内側に配置される。
【００２２】
玩具３は、例えば、フレーム部材２に固定されている。玩具３は、例えば、樹脂フィルム（不図示）が布製のカバーで覆われてなる。玩具３に乳幼児Ｃが触れると、樹脂フィルムがカシャカシャ音を発し、乳幼児Ｃの興味を引く。玩具３は、カバーがフレーム部材２に縫い付けられることで、フレーム部材２に固定されている。玩具３は、例えば、半円状をなし、弦の部分がフレーム部材２の内縁に縫い付けられている。カバーには、例えば、オレンジの断面の絵柄が付されていてもよい。
【００２３】
玩具４は、例えば、玩具本体４ａと、玩具本体４ａをフレーム部材２に取り付ける取付部４ｂと、を有している。玩具本体４ａは、例えば、バナナの縫いぐるみである。取付部４ｂは、例えば、ループ状に形成されたリボンであり、玩具本体４ａに縫い付けられている。玩具４は、取付部４ｂにフレーム部材２が挿通されることで、フレーム部材２に取り付けられている。取付部４ｂは、フレーム部材２の周方向に沿って移動可能、かつ、フレーム部材２の軸方向周りに回転可能に取り付けられている。取付部４ｂは、フレーム部材２に固定されていない。
【００２４】
玩具５は、例えば、玩具本体５ａと、玩具本体５ａをフレーム部材２に取り付ける取付部５ｂと、を有している。玩具本体５ａは、例えば、さくらんぼの縫いぐるみである。取付部５ｂは、例えば、ループ状に形成されたリボンであり、玩具本体５ａに縫い付けられている。玩具５は、取付部５ｂにフレーム部材２が挿通されることで、フレーム部材２に取り付けられている。取付部５ｂは、フレーム部材２の周方向に沿って移動可能、かつ、フレーム部材２の軸方向周りに回転可能に取り付けられている。取付部５ｂは、フレーム部材２に固定されていない。
【００２５】
玩具６は、例えば、布製のシート部材６ａと、シート部材６ａに取り付けられる玩具本体６ｂと、玩具本体６ｂをシート部材６ａに取り付ける取付部６ｃと、を有している。シート部材６ａは、フレーム部材２に巻き付けられることにより、フレーム部材２に取り付けられる。シート部材６ａには、例えば、面ファスナー又はボタン等を含み、フレーム部材２に巻き付けられた状態を保持できるようになっている。玩具本体６ｂは、例えば、歯固めリング、ガラガラ等である。取付部６ｃは、例えば、ループ状に形成されたリボンであり、シート部材６ａに縫い付けられている。
【００２６】
本実施形態では、シート部材６ａは、フレーム部材２の周方向に沿って移動したり、フレーム部材２の軸方向周りに回転したりしないよう、フレーム部材２に強く巻き付けられ、フレーム部材２に固定される。シート部材６ａは、フレーム部材２の周方向に沿って移動可能、かつ、フレーム部材２の軸方向周りに回転可能となるよう、フレーム部材２に緩く巻き付けられてもよい。つまり、シート部材６ａは、フレーム部材２に固定されてなくてもよい。
【００２７】
図２は、フレーム部材２及び玩具３を示す上面図である。図３（ａ）は、接続部による接続を解除した状態のフレーム部材の上面図である。図３（ｂ）は、図３（ａ）のＩＩＩｂ−ＩＩＩｂ線に沿っての断面図である。図３（ｃ）は、図３（ａ）のＩＩＩｃ−ＩＩＩｃ線に沿っての断面図である。図２では、玩具４〜６が取り外された状態のフレーム部材２が示されている。図２及び図３（ａ）に示されるように、フレーム部材２は、一対の端部７ａを含むフレーム本体７と、一対の端部７ａ同士を接続する接続部８，９と、を有している。接続部８，９は、例えば、互いにオーバーラップした状態の一対の端部７ａ同士を結束することにより、一対の端部７ａ同士を接続する。
【００２８】
上述の玩具４，５は、例えば、接続部８，９による一対の端部７ａ同士の接続を解除した状態でフレーム本体７に取り付けられる。玩具４，５は、取付部４ｂ，５ｂに端部７ａを挿通することにより、それぞれフレーム本体７に取り付けられる。フレーム本体７に玩具４，５が取り付けられた状態で、一対の端部７ａ同士が接続部８，９により接続される。これにより、円環状に構成されたフレーム部材２に玩具４，５が取り付けられた状態となる。
【００２９】
接続部８は、例えば、一対のゴムバンド８ａである。一対のゴムバンド８ａは、例えば、一対の端部７ａに縫い付けられることで、一対の端部７ａに固定されている。すなわち、一方のゴムバンド８ａは、一方の端部７ａに縫い付けられることで、一方の端部７ａに固定され、他方のゴムバンド８ａは、他方の端部７ａに縫い付けられることで、他方の端部７ａに固定されている。なお、一対のゴムバンド８ａは、フレーム本体７の軸方向（すなわち、フレーム部材２の周方向）に並んで一方の端部７ａに縫い付けられることで、一方の端部７ａに固定されていてもよい。また、接続部８は、一つのゴムバンド８ａであってもよい。
【００３０】
接続部９は、例えば、互いに結ばれた一対の紐９ａである。一対の紐９ａは、例えば、一端が一対の端部７ａに縫い付けられることで、一対の端部７ａに固定されている。すなわち、一方の紐９ａは、一端が一方の端部７ａに縫い付けられることで、一方の端部７ａに固定され、他方の紐９ａは、一端が他方の端部７ａに縫い付けられることで、他方の端部７ａに固定されている。一対の紐９ａは、例えば、一対のゴムバンド８ａよりもフレーム本体７の端面側に設けられている。
【００３１】
フレーム部材２の周方向の長さは、一対の端部７ａが互いにオーバーラップする長さによって調節される。これにより、乳幼児Ｃの成長にあわせて、フレーム部材２により構成される円環の大きさを調節することができる。上述の玩具６のシート部材６ａは、接続部８，９により接続された一対の端部７ａに巻き付けられる。これにより、一対の端部７ａの接続がより安定する。
【００３２】
図３（ｂ）及び図３（ｃ）に示されるように、フレーム部材２のフレーム本体７は、芯材１１と、クッション層１２と、カバー部材１３と、一対のキャップ部材１４と、を有している。芯材１１は、弾性変形可能な弾性部材からなる。芯材１１は、例えば、ポリアセタールなどの樹脂からなる。ポリアセタールの場合、芯材１１の強度を確保し易い。芯材１１は、例えば、断面円形の線状（棒状）部材である。芯材１１は、外周面１１ａと、円形状の一対の端面１１ｂとを有している。芯材１１の外径は、例えば、５ｍｍである。
【００３３】
クッション層１２は、クッション性を有する材料からなる。クッション層１２は、例えば、発泡ポリエチレンなどの発泡性樹脂からなる。クッション層１２は、芯材１１の外周面１１ａを取り囲む。クッション層１２は、芯材１１の外周面１１ａの全体に設けられている。クッション層１２は、外周面１１ａと接している。クッション層１２は、例えば、外周面１１ａに接着されている。クッション層１２は、断面円形の管状に構成されている。クッション層１２は、外周面１２ａと、円環状の一対の端面１２ｂとを有している。クッション層１２の厚さ（径方向の長さ）は、例えば、１５ｍｍである。クッション層１２の外径は、例えば、３５ｍｍである。クッション層１２の内径は、芯材１１の外径と等しく、例えば、５ｍｍである。
【００３４】
カバー部材１３は、例えば、ポリエステル布などの布製である。カバー部材１３は、フレーム本体７の外皮を構成し、クッション層１２の外周面１２ａを取り囲む。芯材１１、クッション層１２及びキャップ部材１４は、いずれもカバー部材１３の内部に収容されている。カバー部材１３は、例えば、縫製品である。
【００３５】
カバー部材１３は、クッション層１２の外周面１２ａに接着されていない。したがって、図１に示されるように、フレーム部材２の形状に応じて、カバー部材１３には皺が生じ得る。図２、図３（ａ）、図３（ｂ）、及び図３（ｃ）では、このような皺を省略したカバー部材１３の模式的な形状が示されている。
【００３６】
キャップ部材１４は、芯材１１の端部に取り付けられ、端面１１ｂを覆っている。キャップ部材１４は、円板１４ａと、取付部１４ｂと、を有している。円板１４ａは、端面１１ｂ及び端面１２ｂを覆うように配置される。円板１４ａの外径は、例えば、端面１１ｂの外径よりも大きく、クッション層１２の外径以下である。取付部１４ｂは、円板１４ａの中央に突設された円筒形状の部材であり、取付部１４ｂの内部には芯材１１の端部が挿入されている。取付部１４ｂの内径は、芯材１１の外径と同じ、又は、芯材１１の外径よりも大きい。円板１４ａ及び取付部１４ｂは、例えば、ポリプロピレンなどの樹脂の射出成形により一体的に形成されている。
【００３７】
以上説明したように、ベビー用品１では、フレーム部材２が環状に構成されているので、フレーム部材がドーム形状を構成する従来技術のベビー用品と比べて、構造が簡単である。また、従来のベビー用品は、フレーム部材の下端部が固定されるシート状部材を備える。ベビー用品１はこのようなシート状部材を備えないので、その点でも、構造が簡単である。
【００３８】
フレーム部材２の周方向の長さは、１５７ｃｍ以上３１４ｃｍ以下であるから、フレーム部材２により、直径５０ｃｍ以上１００ｃｍ以下の円環状を構成できる。よって、フレーム部材２の内部において、乳幼児Ｃを寝かせた状態で遊ばせることができる。また、フレーム部材２には玩具３〜６が取り付けられるので、乳幼児Ｃを玩具３〜６で遊ばせることができる。更に、フレーム部材２は弾性変形可能であるから、乳幼児Ｃがフレーム部材２を変形させても、フレーム部材２は容易に元の形状に戻る。
【００３９】
上述の従来技術のベビー用品では、玩具が乳幼児の上部に吊り下げられるので、乳幼児が手を上に延ばさなければ、玩具に触れることができない。これに対し、ベビー用品１では、乳幼児Ｃは寝ころんだ状態で手足を動かすだけで、容易に玩具３〜６に触れることができる。よって、ベビー用品１は、月齢が低い乳幼児Ｃにも用いられ易い。
【００４０】
フレーム部材２は、一対の端部７ａを有するフレーム本体７と、一対の端部７ａ同士を接続する接続部８，９と、を有する。このため、接続部８，９による接続を解除し、例えば、フレーム本体７を渦巻状や螺旋状に巻くことができる。よって、フレーム部材２をコンパクトに収納し易い。
【００４１】
フレーム本体７は、芯材１１を有するので、フレーム部材２を所定形状に維持し易い。特に、フレーム本体７が長い場合に有効である。フレーム本体７は、クッション層１２を有するので、乳幼児Ｃがフレーム本体７に触れたときの当たりを柔らかくできる。更に、芯材１１の端面１１ｂはキャップ部材１４により覆われるので、乳幼児Ｃがフレーム本体７の端部７ａに触れたときの当たりを柔らかくできる。
【００４２】
接続部８，９は、互いにオーバーラップした状態の一対の端部７ａ同士を結束する。ベビー用品１では、フレーム部材２が２つの接続部８，９を備えるので、いずれか一方のみを備える場合に比べて、一対の端部７ａの接続が安定する。
【００４３】
クッション層１２は、発泡性樹脂からなる。このため、クッション層１２を所望の形状に形成し易い。
【００４４】
フレーム部材２は、クッション層１２の外周面１２ａを取り囲む布製のカバー部材１３を有する。このため、クッション層１２を保護することができる。
【００４５】
ベビー用品１は、フレーム部材２に取り付けられる玩具３〜６を備えるので、乳幼児Ｃを玩具３〜６で遊ばせることができる。
【００４６】
本考案は上述した実施形態に限らず、様々な変形が可能である。
【００４７】
例えば、上記実施形態では、取付部４ｂ，５ｂは、ループ状に形成されたリボンであり、玩具４，５は、取付部４ｂ，５ｂに端部７ａを挿通することにより、それぞれフレーム本体７に取り付けられるが、取付部４ｂ，５ｂは、例えば、ループ状に形成されていないリボンであってもよい。この場合、接続部８，９による一対の端部７ａ同士の接続を解除しなくても、取付部４ｂ，５ｂのリボンをフレーム部材２に縛り付けることにより、玩具４，５をフレーム部材２に取り付けることができる。取付部４ｂ，５ｂは、例えば、面ファスナー又はボタン等であってもよい。
【００４８】
上記実施形態では、フレーム部材２は、フレーム本体７及び接続部８，９を有するが、フレーム部材２は無端環状に構成されていてもよい。この場合、フレーム部材２は、接続部８，９及びキャップ部材１４を備える必要がない。また、フレーム部材２は、接続部８，９のいずれか一方を有さなくてもよい。
【００４９】
一対の紐９ａは、いずれも一方の端部７ａの同じ位置に縫い付けられることで、一方の端部７ａに固定されていてもよい。また、一対の紐９ａは、連続する一本の紐からなり、当該一本の紐の長さ方向の中央部が一方の端部７ａに縫い付けられることで、一方の端部７ａに固定されていてもよい。これらの場合、一対の紐９ａが一方の端部７ａの同じ位置に固定されているので、一対の端部７ａが互いにオーバーラップする長さを変えても、容易に一対の紐９ａを結び、接続部９を形成することができる。また、フレーム部材２は、接続部９の代わりに、端部７ａに固定されていない一本の紐からなる接続部を備えていてもよい。この場合も、一対の端部７ａが互いにオーバーラップする長さを変えても、容易に紐を結び、接続部を形成することができる。フレーム部材２の周方向の長さは、一対の端部７ａが互いにオーバーラップする長さによって調節される。このため、フレーム部材２により構成される円環の大きさを調節することができる。
【００５０】
ゴムバンド８ａは、端部７ａに固定されていなくてもよい。また、フレーム部材２は、接続部８，９の代わりに、一対の端部７ａ同士を接着等により解除不能に接続する接続部を備えていてもよい。この場合、フレーム部材２は、実質的に無端環状となるので、キャップ部材１４を備える必要がない。
【００５１】
ベビー用品１は、ベビーベットの上で用いられてもよい。フレーム部材２が弾性変形可能なので、ベビー用品１は、ベビーベットの柵の中にも容易に配置できる。ベビー用品１は、ベビーカーに取り付けて用いられてもよい。
【符号の説明】
【００５２】
１…ベビー用品、２…フレーム部材、３〜６…玩具、７…フレーム本体、７ａ…端部、８，９…接続部、１１…芯材、１１ａ…外周面、１１ｂ…端面、１２…クッション層、１２ａ…外周面、１２ｂ…端面、１３…カバー部材、１４…キャップ部材、Ｃ…乳幼児。
【図１】
0003225185.tif 000003
【図２】
0003225185.tif 000004
【図３】
0003225185.tif 000005